(57)【特許請求の範囲】
【請求項１】
カップ、ストラップ、土台、脇布を少なくとも有するブラジャーであって、
前記ストラップは、１本の連続部材で輪を形成するように構成されており、
略三角形の脇布の下縁と前記ストラップの脇側とが縫着状態であり、前記脇布の後縁と前記ストラップの背中側とが縫着状態であることを特徴とするブラジャー。
【請求項２】
ストラップが長さ調節機構を有さないブラジャーであって、
左右それぞれの前記ストラップが背中側の連結部を基点及び終点とする連続部材で構成され、
略三角形の脇布の下縁と前記ストラップの脇側とが縫着状態であり、前記脇布の後縁と前記ストラップの背中側とが縫着状態であることを特徴とするブラジャー。
【請求項３】
ストラップが長さ調節機構を有さないブラジャーであって、
左右それぞれの前記ストラップが背中側の連結部を基点とし、肩、脇下を通り、ストラップの背中側で前記連結部の上方を終点とする連続部材で構成され、
略三角形の脇布の下縁と前記ストラップの脇側とが縫着状態であり、前記脇布の後縁と前記ストラップの背中側とが縫着状態であることを特徴とするブラジャー。
【請求項４】
前記脇布が、ストラップと縫着状態でない辺と平行な方向に最も伸びやすいことを特徴とする請求項１〜３のいずれかに記載のブラジャー。
【発明の詳細な説明】
【技術分野】
【０００１】
本発明は、ブラジャーに関する。
【背景技術】
【０００２】
従来、一般的に用いられているブラジャーは、カップ部、ストラップ部、バンド部から構成され、背中側で連結する。従来のブラジャーは、カップ下縁部にワイヤーが挿入され略乳房の基底ライン（バージスラインとも言われている乳房下側の人体への付け根のライン）の形状に沿った略半円弧状の形状を保つように形成されている。特許文献１に記載のブラジャーは、従来の一般的なカップ下縁部にワイヤーが挿入されたブラジャーにおいて、カップの略最下点から脇側にかけての部分のワイヤーが略最下点から脇側上部に向かって次第に乳房の基底ラインより内側に入り込んだ形とすることによって、乳房の形を美しく整えるようにしたブラジャーである。
【０００３】
特許文献２に開示されたブラジャーは、ブラジャーの左右のバストカップが、上下方向に伸縮可能な所定の剛性を備えたサイドボーンによって保持されているサイドパネルによって引っ張られると共に、サイドパネルの上縁部分から延びているショルダーストラップによって引上げられるので、バストが前中心側に引き寄せられると共にリフトアップされ、美しい形状に保持される。特許文献２に記載のブラジャーは、サイドボーンが上下に伸縮可能であるので肩関節の動きに追従してサイドパネルが伸縮し、窮屈感がなく、ショルダーストラップに過剰な張力が掛からないので、肩にショルダーストラップが食い込み、着用感が悪化するという弊害が改善されるブラジャーである。
【０００４】
特許文献３には、背面部の素材を伸縮せず、通気性・吸汗性のよい綿素材等を中心に用い、前面部・カップ部分には綿及び、ナイロン・ポリウレタン等の伸縮性に富む素材を用い、サイドボーンを設け背面部を一部補強することで、より前面に寄せる効果を高め、背面部には伸縮性がなく、背中・脇から寄せられた贅肉は、カップ部分に伸縮余裕があるためにカップ部分に集めるプロポーション矯正ブラジャーが開示されている。このようなブラジャーはバスト側に肉を集める矯正に重点があるため、着用によって窮屈となり、着用感が犠牲となっている。
特許文献４には、バスト最下端周縁より脇側に略Ｌ形状に延在するカップ支え材を備え、該カップ支え材の脇側上端はカップ部の脇側を完全に囲んで上端縁まで達し、カップ部の上縁に連続してストラップ連結位置近傍まで延在すると共に、該カップ支え材の脇側上端外縁は脇線ラインまで延在し、かつ、上記カップ支え材は樹脂糸の成形材よりなり、バージスラインより内側部分をバストの隆起に沿って起き上がる立体形状としたノンワイヤーでありながらバージスラインの固定と造形性とを高める目的とするブラジャーが提案されている。この文献は、ノンワイヤーブラジャーであるが、脇と下側の乳房の支え材としてＬ形状の合成樹脂材を用いており、窮屈さの改良が不十分である。
【０００５】
特許文献１〜４のそれぞれに開示されるように、乳房の脇側の贅肉などをカップ側に押さえるサイドパネルを設けてバストラインを補正するブラジャーが各種提案されている。
特許文献５には、このようなサイドパネルを備えたブラジャーであって、バック布とクロスする上部脇布を部分的に重なるようにクロスさせたブラジャーが開示されている。このブラジャーは、他の従来例の補正作用に加えて、上部脇布で背中の贅肉の膨出を抑えるものである。
特許文献６には、補正機能のみならず着用感、運動追随性を向上させるブラジャーが開示されている。特許文献６に記載されたブラジャーは、連続したストラップを用いた物であって、ストラップの肩落ちがなく安定した着用ができるブラジャーである。
【０００６】
特許文献７には、略三角形のバック布１４２と、略四角形の脇布１５０の２枚の布でバック部を形成し、略四角形の脇布１５０により背中の贅肉がはみ出すことを防止したブラジャーが提案されている。図６に、特許文献７に記載のブラジャーの各部材の構造を示す。特許文献７に記載のブラジャーにおいて、バック布１４２と脇布１５０とは共通する前縁と下縁が縫着されており、他の部分は縫着されておらず自由である。ストラップは連結部のみで接合されて輪を形成しており、ストラップの脇側は略三角形のバック布１４２の上縁と（図６中のＡ）、背中側は略四角形の脇布１５０の後縁と（図６中のＢ）縫着されている。ブラジャー着用時にストラップの脇部分は略水平方向に、背中部分は略鉛直方向に位置するため、着用者の動作によりブラジャーの脇部分は主に水平方向に、背中部分は主に鉛直方向に引っ張られる。ストラップの脇部分が左右に動くとバック布１４２のみが、ストラップの背中部分が上下に動くと脇布１５０のみが引っ張られるため、バック布１４２と脇布１５０とがずれやすい。また、バック布１４２がずれたり、シワが生じたりすると、バック布１４２は脇布１５０に覆われているため、ずれやシワがとれにくい。さらに、バック布１４２と脇布１５０という２枚の布を重ねて用いているため、縫製が複雑でコストがかかり、厚く、通気性が低い。
【０００７】
【特許文献１】特許第２９２１５６６号公報
【特許文献２】特開２００６−２２５８１９号公報
【特許文献３】特開２００１−１１５３０４号公報
【特許文献４】特開２００３−４１４０５号公報
【特許文献５】特開２００５−１５４９７２号公報
【特許文献６】特許第３８１６８７６号公報
【特許文献７】特許第４６５１６５１号公報
【発明の開示】
【発明が解決しようとする課題】
【０００８】
長さ調整機構を有さない１本の連続部材で構成されたストラップを有するブラジャーにおいて、カップ脇から脇下、背中にかけて身体をスリムに補正してきれいに見せるとともに、身体の動きに追従してずれにくいブラジャーを提供する。
【課題を解決するための手段】
【０００９】
具体的な解決手段は次のとおりである。
１．カップ、ストラップ、土台、脇布を少なくとも有するブラジャーであって、
前記ストラップは、１本の連続部材で輪を形成するように構成されており、
略三角形の脇布の下縁が前記ストラップの脇側に、後縁が前記ストラップの背中側に縫着されていることを特徴とするブラジャー。
２．ストラップが長さ調節機構を有さないブラジャーであって、
左右それぞれの前記ストラップが背中側の連結部を基点及び終点とする連続部材で構成され、
略三角形の脇布の下縁が前記ストラップの脇側に、後縁が前記ストラップの背中側に縫着されていることを特徴とするブラジャー。
３．ストラップが長さ調節機構を有さないブラジャーであって、
左右それぞれの前記ストラップが背中側の連結部を基点とし、肩、脇下を通り、ストラップの背中側で前記連結部の上方を終点とする連続部材で構成され、
略三角形の脇布の下縁が、前記ストラップの脇側に、後縁が前記ストラップの背中側に縫着されていることを特徴とするブラジャー。
４．前記脇布が、ストラップと縫着されていない辺と平行な方向に最も伸びやすいことを特徴とする１．〜３．のいずれかに記載のブラジャー。
【発明の効果】
【００１０】
本発明のブラジャーは、ストラップが１本の連続部材で輪を形成するように構成されており、略三角形の脇布の下縁がストラップの脇側に、後縁がストラップの背中側に縫着されている。
ストラップが形成する輪に、略三角形の脇布が縫着されているため、ブラジャー着用時にストラップに挟まれた部分の肉が膨らむことを防止することができる。本発明のブラジャーは、土台、ストラップ、脇布が協働して面で身体を押さえるため、カップ脇から脇下、背中にかけて身体をスリムに補正し、身体のラインを美しく、スマートに見せることができる。脇からバックにかけて、布が重ならない一重の布で構成されているので、従来例に比べて通気性が向上し、着用性も向上する。
【００１１】
ストラップの脇側と背中側とが伸縮性を有する同一の脇布に縫着されているため、身体の動きに伴いストラップに上下左右方向に力が加わっても、脇布は安定して身体にフィットする。着用時に身体の動きに伴い上下左右どの方向に力が加わっても、脇布が伸縮して力を緩衝するため、ストラップからの張力に自在に追従することができ、脇布のズレやシワが生じにくい。脇布は全方向に伸縮性を有するが、脇布が縫着されていない辺と平行な方向である斜め方向に最も伸びやすいことが好ましい。
【００１２】
ストラップは伸縮素材から形成されているため、ストラップの伸縮性により、適用者の体の大きさに合わせて着用することができる。ストラップの全長を周長とする輪全体にブラジャーを吊る力が均一にかかるので、肩のみでブラジャーを吊り下げる従来のブラジャーと比較すると肩が凝りにくく、疲れにくい。本発明のブラジャーはストラップの長さ調節機構は不要である。
【００１３】
本発明のブラジャーを着用すると、ストラップの収縮力により、脇から背中にかけては水平方向に、肩付近は後方に引っ張られる。そのため、猫背や肩が縮こまるのを防ぐことができ、胸を張ったような美しい姿勢を維持することができる。本発明のブラジャーは、美しい姿勢を維持することによる肩こり・腰痛軽減効果を有する。本発明のブラジャーを着用する際に肩に加わる力は略鉛直方向であるため、肩に不自然な力が加わらず、肩が凝りにくい。また、本発明のブラジャーは肩前方のストラップに上下方向の収縮力が働いているため、着用するだけで自然にバストアップ効果を奏する。
【００１４】
ストラップの基点と終点を連結部に接合すると、脇布の三角形状はストラップ接合部の角が小さくなり、ストラップに縫着される辺長が長くなる。これにより、背中側のストラップの保持力が脇側のストラップに伝わりやすく、胸部の保形性が向上する。
【００１５】
ストラップの終点をストラップの背中側で連結部の上方に接合すると、脇布の三角形状におけるストラップ接合部の角が大きくなるため、ストラップのループ形状の保形力が高まり、ストラップのフィット感が高くなる。また、土台のバック部の面積が広いため、身体の脇から背中にかけての支持面を広くすることができる。連結部ではストラップの一端のみがホックなどと接合されるため、連結部を薄くすることができる。連結部が薄いため、着用時の連結部のゴロツキが抑えられて違和感が少ない。さらに、ストラップがより高い位置で引っ張られるため、姿勢維持効果、バストアップ効果、肩こり・腰痛軽減効果に優れている。
【図面の簡単な説明】
【００１６】
【図１】本発明の第一の実施態様のブラジャーの表面を示す図。
【図２】本発明の第一の実施態様のブラジャーの各部材の構造を示す図。
【図３】本発明の第一の実施態様のブラジャーの着用時の形態を示す図。
【図４】本発明の第二の実施態様のブラジャーの表面を示す図。
【図５】本発明の第二の実施態様のブラジャーの各部材の構造を示す図。
【図６】従来のブラジャーの各部材の構造を示す図。
【発明を実施するための最良の形態】
【００１７】
本発明のブラジャーは、カップ、ストラップ、土台、脇布を少なくとも有する。ストラップは１本の連続部材で輪を形成するように構成されている。ストラップが形成する輪の接合部分には、略三角形の脇布が縫着されている。略三角形の脇布の下縁はストラップの脇側に、脇布の後縁はストラップの背中側にそれぞれ縫着され、残りの一片は他の部材と縫着されていない。
【００１８】
「第一の実施態様」
本発明の第一の実施態様のブラジャーの表面を図１に、各部材の構造を図２に示す。
第一の実施態様のブラジャー１は、カップ２、ストラップ３、土台４、脇布５、連結部６を有する。
【００１９】
カップ２はカップ上片２１とカップ下片２２が接続されることで立体的に構成されている。カップの下縁にはワイヤループ７が設けられている。ワイヤループ７内にはワイヤーが封入されており、ワイヤループ７の両端はワイヤーの飛び出しを防止するために縫着されている。左右のカップ２は、フロント上端からカップ脇下にかけて土台４に接続され、カップ脇下からカップ脇辺にかけてストラップ３に接続されている。
【００２０】
土台４は、フロント部４１と左右それぞれのバック部４２とからなり、一枚の布から構成されている。フロント部４１はブラジャー前面でカップ２の前中心から下縁にかけて、バック部４２はカップ２の外縁とストラップ３とに接続されている。また、土台４の下辺には、図示せぬ幅広の伸縮部材が縫着されている。この伸縮部材により、ブラジャー着用時に連結部６で連結した土台４で形成される輪が身体に密着するため、本発明のブラジャーは身体が動いてもズレにくい。土台４は、ストラップ３及び図示せぬ伸縮部材の着用時の伸長に追従することのできる伸縮性を有する。ここで、土台４のフロント部４１のカップ２と接続されていない中央部が伸縮すると、カップ２間の間隔が広くなり見栄えが悪くなる、身体の動作によりカップが動きすぎてズレやすくなる、という問題が生じる。そのため、土台４の中央部裏面には伸縮性を低減させるためのあて布を縫い合わせることが好ましい。
【００２１】
土台４を一枚の布で構成すると、別々の部材からなるフロント部とバック部とを接続する縫製が不要となる。縫製による凹凸や硬い箇所が存在しないため、着用時の肌当たりを改善することができる。着用時には、土台４と、土台４の下部に縫着されている伸縮部材とが伸長して収縮力を生じ、この収縮力が土台全面に分散されるため、ブラジャーの食い込みを防止でき、ラクな着用感を創出することができる。
【００２２】
ストラップ３は左右対称であり、連結部６から肩、脇下を通り、連結部６に至る水滴形に形成されている。ストラップ３は、幅広の伸縮素材からなる一本の連続体で形成されており、基点及び終点は背中側の連結部６で接合されている。ストラップ３は、土台４のバック部４２の上縁と脇布５の下縁、カップ２の脇辺、脇布５の後縁に縫着されている。ストラップ３は高い伸縮性を有する素材からなり、個人差に十分対応できる長さで設けられているため、アジャスターなどの長さ調整機構は設けられていない。ストラップ３は伸縮素材からなるため、長さ調節機構が設けられていなくても、適用者の体の大きさに合わせた良好な着用が可能である。ストラップ３は幅広の部材であり、長さ調整機構を有さない。そのため、肩へ食い込むことがなく、着用時のストレス、ゴロツキ感が少なく、肩が凝りにくい。
【００２３】
第一の実施態様のブラジャーの着用時の形態を図３に示す。
伸縮素材からなるストラップ３は輪を形成しており、その収縮力により輪全体にブラジャーを吊る力が均一に分散する。そのため、本発明のブラジャーは締めつけ感が少なくラクな着用が可能で、肩が凝りにくい。また、ストラップ３が形成する輪の接合部には略三角形の脇布５が、脇布５の下縁がストラップ３の脇側に、脇布５の後縁がストラップ３の背中側にそれぞれ縫着されている。脇布５は、ブラジャー着用時にストラップ３に挟まれた部分の肉を押さえつけて膨らみを防止する。本発明のブラジャーは、土台４、ストラップ３、脇布５が協働して面で身体を押さえつけるため、カップ脇から脇下、背中にかけて身体をスリムに補正し、身体のラインを美しく、スマートに見せることができる。本発明のブラジャーの側面と背面とは、土台４と脇布５とが重なり合っておらず薄いため、ブラウスなどの薄着をしても、凹凸の少ないすっきりしたラインを表現することができる。また、通気性が高く、ゴロツキ感も少ないため着用時の肌当たりに優れている。
【００２４】
脇布５は略三角形状であり、下縁と後縁はストラップ３に縫着され、残りの一辺は他の部材と縫着されていない。脇布５は高伸縮性であり、ストラップ３を形成する伸縮素材と同程度、またはストラップ３よりも伸びやすい素材を用いることが好ましい。ブラジャー着用時には、略三角形の脇布５は縫着されていない辺の方向に伸長するため、脇布５は縫着されていない辺と平行な方向に最も伸びやすいことが好ましい。また、脇布５は全方向に伸縮性を有するが、脇布５が縫着されていない辺と平行な方向である斜め方向に最も伸びやすいことにより、着用時に身体の動きに伴いストラップ３に上下左右どの方向に力が加わっても、脇布５がストラップ３からの張力に自在に追従することができ、脇布５のずれやシワの発生を抑えることができる。
【００２５】
本発明のブラジャー着用時には、ストラップ３の脇側では略水平方向の収縮力が生じる。ストラップ３の動きは、脇布５に縫着されて制限されているため、ストラップ３の背中側肩付近で脇布５と縫着されていない部分には略鉛直方向、背中側で脇布５と縫着されている部分には斜め下方向に収縮力が生じる。本発明のブラジャーを着用すると、この収縮力により、脇から背中にかけては水平方向、肩付近は鉛直方向に引っ張られるため、猫背や肩が縮こまるのを防ぐことができ、胸を張ったような美しい姿勢を維持することができる。本発明のブラジャーは、美しい姿勢を維持することによる肩こり・腰痛軽減効果を有する。上記したように、本発明のブラジャーを着用すると、肩には略鉛直方向の力が加わる。肩に加わる力が略鉛直方向であるため、肩や首に不自然な力が加わらず、肩が凝りにくい。また、本発明のブラジャーは肩前方のストラップ３に上下方向の収縮力が働いているため、着用するだけで自然にバストアップ効果を奏する。
【００２６】
連結部６は、背中側に設けられ、左右にフックアイａ、フックアイｂ（図示せず）を有する。フックアイａはリング状に複数段に設けられ、フックアイｂは鉤状に設けられており、フックアイａとフックアイｂとを留めることで、ブラジャーは着用される。フックアイａが複数段に設けられていることにより、胸囲長に合わせて着用する長さを調整することができる。
【００２７】
「第二の実施態様」
本発明のブラジャーの第二の実施態様の表面を図４に、各部材の構造を図５に示す。第二の実施態様において、前記第一の実施態様と同一部材には同一符号を付して説明する。
第二の実施態様のブラジャー１は、カップ２、ストラップ３、土台４、脇布５、連結部６を有する。第二の実施態様において、ストラップ３は、背中側の連結部６を基点とし、肩、脇下を通り、脇の後部を終点とする略Ｐ字形を形成している以外は、前記第一の実施態様のブラジャーと同様の構成を有する。
【００２８】
第一の実施態様ではストラップ３の両端が連結部６に接合されているのに対し、第二の実施態様ではストラップ３の一端のみが連結部６に接合されている。第一の実施態様のブラジャーと比較して連結部６の厚さを薄くすることができるため、着用時の連結部６のゴロツキが抑えられて違和感を抑えることができる。
第二の実施態様のブラジャーにおいて、ストラップ３の脇部分の終点は、ストラップ３の背中側で連結部６の上方に接合されている。第二の実施態様のブラジャーは、第一の実施態様のブラジャーと比較して、ストラップ３の脇部分がより高い位置でより水平方向に引っ張られ、かつ、ストラップ３の背中部分に接合されて上方向に引っ張られていることから位置がずれにくい。また、ストラップ３の背中部分は、ストラップ３の脇部分との接合箇所で外側に引っ張られることにより、第二の実施態様のブラジャーは、第一の実施態様のブラジャーと比較して、肩に加わる力がより鉛直な方向となる。第二の実施態様のブラジャーは、脇から背中にかけては高い位置で水平方向に、肩付近は真っ直ぐ後方に向けて引っ張られるため、第一の実施態様のブラジャーよりも姿勢維持効果、バストアップ効果、肩こり・腰痛軽減効果に優れている。
【００２９】
なお、本発明のブラジャーは、上記第一、および第二の実施態様に限定されるものではない。例えば、カップ２を単一のカップ片から形成してもよく、土台４を複数の部材から構成してもよく、カップ２下にワイヤーを有さないノンワイヤータイプでもよい。
【符号の説明】
【００３０】
１      ブラジャー
２      カップ
２１    カップ上片
２２    カップ下片
３      ストラップ
４      土台
４１    フロント部
４２    バック部
５      脇布
６      連結部
７      ワイヤループ
１４２  バック布
１５０  脇布
【要約】
【課題】長さ調整機構を有さない１本の連続部材で構成されたストラップを有するブラジャーにおいて、カップ脇から脇下、背中にかけて身体をスリムに補正してきれいに見せるとともに、身体の動きに追従してずれにくいブラジャーを提供する。
【解決手段】カップ、ストラップ、土台、脇布を少なくとも有するブラジャーであって、前記ストラップは、１本の連続部材で輪を形成するように構成されており、略三角形の脇布の下縁が前記ストラップの脇側に、後縁が前記ストラップの背中側に縫着されているブラジャー。
【選択図】図１【図１】
0005894690.tif 000002
【図２】
0005894690.tif 000003
【図３】
0005894690.tif 000004
【図４】
0005894690.tif 000005
【図５】
0005894690.tif 000006
【図６】
0005894690.tif 000007